(57)【特許請求の範囲】
【請求項１】
原稿を第１の画像データとして読み取る画像読み取り手段と、
外部に接続される端末から第２の画像データを入力する画像入力手段と、
前記第２の画像データを蓄積する蓄積手段と、
前記蓄積手段に蓄積されている第２の画像データを頁毎に区分して一覧表示する表示手段と、
前記表示手段の画面に表示されている第２の画像データ中への前記第１の画像データの挿入位置が画面上で指定可能であり、前記第２の画像データ中の指定された挿入位置に前記第１の画像データを挿入して編集する編集手段と、
前記第２の画像データに前記第１の画像データを挿入して編集された画像データを記録媒体に出力する画像出力手段とを備えたことを特徴とする画像処理装置。
【請求項２】
前記編集手段は、前記第２の画像データ中の頁間に前記第１の画像データの挿入位置を指定可能であることを特徴とする請求項１記載の画像処理装置。
【請求項３】
前記表示手段は、前記第１の画像データの挿入位置の指定に基づいて、指定された挿入位置に新たな追加頁を挿入して画面に表示することを特徴とする請求項２記載の画像処理装置。
【請求項４】
前記編集手段は、前記表示手段に画面表示されている挿入された新たな追加頁部分に、前記画像読み取り手段により読み取られた第１の画像データを挿入することを特徴とする請求項３記載の画像処理装置。
【請求項５】
前記画像入力手段において入力した前記第２の画像データを、前記画像出力手段へ転送し、出力させるか、あるいは前記蓄積手段へ転送し、蓄積させるかを所定の情報に基づいて判断する判断手段を有することを特徴とする請求項１から４の何れか１項に記載の画像処理装置。
【請求項６】
前記所定の情報は、
前記外部の端末側、および前記画像処理装置側でそれぞれ設定されたプロトコル手順中の前記第２の画像データの処理内容を特定する情報であることを特徴とする請求項５記載の画像処理装置。
【請求項７】
前記画像入力手段は、
公衆回線を介して接続される前記外部の端末との通信制御を行う回線制御部と、
ネットワークを介して接続される前記外部の端末との通信制御を行うネットワーク制御部と、
前記回線制御部と前記ネットワーク制御部とのいずれかに切り替えるバススイッチ部とを有し、
該切り替えられた前記回線制御部あるいは前記ネットワーク制御部が、前記外部の端末との通信を制御することを特徴とする請求項１から６の何れか１項に記載の画像処理装置。
【請求項８】
前記画像入力手段は、さらに、
前記回線制御部あるいは前記ネットワーク制御部を介して受信した前記第２の画像データを記憶するメモリと、
前記画像出力手段における出力状況に応じて、前記第２の画像データを前記メモリに一時記憶させ、前記出力手段への前記第２の画像データの転送速度を制御することを特徴とする請求項７記載の画像処理装置。
【発明の詳細な説明】
【０００１】
【発明の属する技術分野】
本発明は、画像処理装置に関し、特に、外部の端末から入力した画像データを、スキャナ部で読み取った画像データと組み合わせることにより出力物の編集処理を行う画像処理装置に関する。
【０００２】
【従来の技術】
従来、複写機の複写物とプリンタの印字物をまとめて冊子を作成する場合は、複写機の複写物とプリンタの印字物を机上に並べて編集していた。しかしながら、このような手作業による編集処理は効率が悪く、しかも面倒な処理となる。
【０００３】
このような問題点を解決する従来技術として、冊子編集処理に３つのモードを設け、そのモードの組み合わせで処理を実行する画像処理装置が知られている。
【０００４】
この従来技術は、画像処理装置のプリンタ部から出力された印字物をコピー部の原稿としてスキャナ部でその画像データを読み取り、読み取った画像データ頁間に挿入する原稿の画像データを、再度スキャナ部で読み取らせて各々の画像データをソートすることにより上記問題点を解決している。
【０００５】
しかしながら、この従来技術は、一度プリンタ部から出力された印字物を、再びスキャナ部で読み取らせる余計な処理動作、及びそれにより印字物を原稿とした複写物の画像の劣化を招くといった問題点があった。
【０００６】
【発明が解決しようとする課題】
本発明は、上記問題点に鑑みてなされたものであり、入力先が異なる画像データの冊子編集をまとめて行うことにより、余計な処理動作を省くことができ、また、外部の端末から受信した画像データと、スキャナ部で読み込んだ画像データとの頁をソートし、編集処理を自動的に行うことができる画像処理装置を提供することを目的としている。
【０００７】
【課題を解決するための手段】
かかる目的を達成するために請求項１記載の発明は、原稿を第１の画像データとして読み取る画像読み取り手段と、外部に接続される端末から第２の画像データを入力する画像入力手段と、第２の画像データを蓄積する蓄積手段と、蓄積手段に蓄積されている第２の画像データを頁毎に区分して一覧表示する表示手段と、表示手段の画面に表示されている第２の画像データ中への第１の画像データの挿入位置が画面上で指定可能であり、第２の画像データ中の指定された挿入位置に第１の画像データを挿入して編集する編集手段と、第２の画像データに第１の画像データを挿入して編集された画像データを記録媒体に出力する画像出力手段とを備えたことを特徴とする。
【０００８】
請求項２記載の発明は、請求項１記載の発明において、編集手段は、第２の画像データ中の頁間に第１の画像データの挿入位置を指定可能であることを特徴とする。
【０００９】
請求項３記載の発明は、請求項２記載の発明において、表示手段は、第１の画像データの挿入位置の指定に基づいて、指定された挿入位置に新たな追加頁を挿入して画面に表示することを特徴とする。
【００１０】
請求項４記載の発明は、請求項３記載の発明において、編集手段は、表示手段に画面表示されている挿入された新たな追加頁部分に、画像読み取り手段により読み取られた第１の画像データを挿入することを特徴とする。
【００１３】
請求項５記載の発明は、請求項１から４の何れか１項に記載の発明において、画像入力手段において入力した第２の画像データを、画像出力手段へ転送し、出力させるか、あるいは蓄積手段へ転送し、蓄積させるかを所定の情報に基づいて判断する判断手段を有することを特徴とする。
【００１４】
請求項６記載の発明は、請求項５記載の発明において、所定の情報は、外部の端末側、および画像処理装置側でそれぞれ設定されたプロトコル手順中の第２の画像データの処理内容を特定する情報であることを特徴とする。
【００１５】
請求項７記載の発明は、請求項１から６の何れか１項に記載の発明において、画像入力手段は、公衆回線を介して接続される外部の端末との通信制御を行う回線制御部と、ネットワークを介して接続される外部の端末との通信制御を行うネットワーク制御部と、回線制御部とネットワーク制御部とのいずれかに切り替えるバススイッチ部とを有し、切り替えられた回線制御部あるいはネットワーク制御部が、外部の端末との通信を制御することを特徴とする。
【００１６】
請求項８記載の発明は、請求項７記載の発明において、画像入力手段は、さらに、回線制御部あるいはネットワーク制御部を介して受信した第２の画像データを記憶するメモリと、画像出力手段における出力状況に応じて、第２の画像データをメモリに一時記憶させ、出力手段への第２の画像データの転送速度を制御することを特徴とする。
【００１７】
本発明によれば、ＰＣより受信した画像データを画像蓄積部６のメモリに一旦蓄積し、操作制御部からの指定により、コピー動作に先に蓄積した画像データの頁をソートすることにより、従来手作業で行われた編集処理を自動的に行うことができる。
【００１８】
また、本発明によれば、ＦＡＸより受信した画像データをＲＴＩ／ＴＳＩにリンクして画像蓄積部６のメモリに一旦蓄積し、操作制御部からの指定により、コピー動作に先に蓄積した画像データの頁をソートすることにより、従来手作業で行われた編集処理を自動的に行うことができる。
【００１９】
また、本発明によれば、複数の入力から取り込んだ画像データを画像蓄積部６のメモリに一旦蓄積し、操作制御部からの指定により、コピー動作に先に蓄積した画像データの頁をソートすることにより、従来手作業で行われた編集処理を自動的に行うことができる。
【００２０】
【発明の実施の形態】
以下、図面を参照しながら本発明の画像処理装置における実施の形態を詳細に説明する。図１〜７には、本発明による画像処理装置の実施の形態が示されている。
【００２１】
図７は、本発明の画像処理装置の一構成例を示すものである。図７において、画像処理装置は、インタフェースコントローラ１００とカラースキャナ２００とカラープリンタ３００とにより構成され、インタフェースコントローラ１００はカラースキャナ２００に接続されており、インタフェースコントローラ１００が受信した画像データをカラースキャナ２００が取り込み、取り込んだ画像データをカラープリンタ３００で出力させる。
【００２２】
また、カラースキャナ２００は、カラープリンタ３００の動作を制御することにより、カラースキャナ２００とカラープリンタ３００とでデジタルカラー複写機として単独に動作することができる。つまり、インタフェースコントローラ１００が受信し、カラースキャナ２００を介してカラープリンタ３００へ転送した画像データ以外にも、カラースキャナ２００自身が読み取った画像データもカラープリンタ３００で出力することができる。
【００２３】
ここでカラースキャナ２００は、スキャナコントローラ２０１と画像処理部２０２と露光系コントローラ２０３とを含んで構成され、またカラープリンタ３００は、プリンタ部コントローラ３０１と作像部３０２と転写処理部３０３とを含んで構成される。さらに作像部３０２は、レーザドライブ部３１０とポリゴンスキャナドライブ部３１１と表面電位制御部３１２と帯電部３１３と現像部３１４と感光ドラム３１５とドラムクリーニング部３１６とを含んで構成され、また転写処理部３０３は、用紙カセット３１７と給紙制御部３１８と転写ドラム３１９と転写部３２０と分離部３２１と搬送部３２２と定着部３２３とトレイ３２４とを含んで構成される。
【００２４】
露光系コントローラ２０３は、内蔵する密着型ＣＣＤラインセンサを制御し、原稿台上の原稿をこの密着型ＣＣＤラインセンサによって、Ｒ／Ｇ／Ｂ各色に色分解し、点順次のアナログ画像信号に変換する。このアナログ画像信号は、画像処理部２０２でＲ／Ｇ／Ｂの輝度レベルからＣ／Ｍ／Ｙ／Ｋの４色に対応した濃度レベルに変換されるとともに、図示しない色補正部で演算され、画像の合成、変倍、及び移動等の各種画像処理が行われる。
【００２５】
カラープリンタ３００は、カラースキャナ２００から送られてきたＣ／Ｍ／Ｙ／Ｋの４色の各デジタル画像信号を、プリンタ部コントローラ３０１において半導体レーザの点灯信号に変換し、各デジタル画像信号のレベルに対応したパルス幅の点灯信号を作像部３０２のレーザドライブ部３１０に出力する。このレーザドライブ部３１０から出力される各デジタル画像信号に対応したレーザの点灯レベルは、それぞれ２５６レベル（８ビットに対応）ある。
【００２６】
次に、レーザドライブ部３１０から出力されるレーザを受けたポリゴンスキャナドライブ部３１１は、感光ドラム３１５上に潜像が形成する。感光ドラム３１５上に形成された潜像は、Ｃ／Ｍ／Ｙ／Ｋの４色カラー別に、各デジタル画像信号に応じた２５６レベルに制限されたものであり、それぞれ感光ドラム３１５に順次デジタル的なドット形成でカラー画像を成す。このカラー画像は現像部３１４で現像され、転写処理部３０３の転写部３２０において現像されたカラー画像を転写用紙に転写する。
【００２７】
この転写用紙は、給紙制御部３１８の制御によって用紙カセット３１７から供給されたものであり、転写済みの用紙は、分離部３２１において転写ドラム３１９から分離され、搬送部３２２が分離された用紙を定着部３２３へ搬送し、定着部３２３は転写されたカラー画像を用紙に定着され、トレイ３２４に出力される。
【００２８】
このようにカラープリンタ３００は、電子写真方式を採用したレーザビームプリンタである。前述したようにカラースキャナ２００とカラープリンタ３００は独立してデジタルカラー複写機として動作する。スキャナコントローラ２０１のカラープリンタ３００に対するコントロールを基に、カラースキャナ１００の原稿台に原稿画像をセットし、複写開始キーを押し、同様のプロセスに従ってカラースキャナ１００による画像の読み込み、画像処理、カラープリンタ３００での露光、現像、転写、定着プロセス等を経て画像が形成され出力される。
【００２９】
このようなデジタルカラー複写機において、画像データの転送バスの切り替えを行うバススイッチを内蔵したインタフェースコントローラ１００を有する本発明の編集処理における一実施形態を、図１〜７を参照しながら説明する。
【００３０】
図１は、本発明の画像処理装置の実施形態における一構成例を示すブロック図である。図１において、本発明の画像処理装置は、外部インタフェース回路１と画像読み取り制御部２と操作制御部３とプリント制御部４と画像蓄積部５とタイマ６とを含んで構成され、これらはシステム制御部７の制御の下で動作する。
【００３１】
外部インタフェース回路１は、図７でいうインタフェースコントローラ１００に対応しており、バススイッチ制御部１１と回線制御部１２とネットワーク制御部１３とを備え、バススイッチ制御部１１は、外部インタフェース回路１による外部との接続を回線制御部１２とネットワーク制御部１３の何れかに切り替える。
【００３２】
回線制御部１２は、公衆回線との回線制御を行う回路と、その回線制御によって受信した画像データの伸復調を行うモデムとを有する。ネットワーク制御部１３は、ネットワーク介して接続される端末との通信を制御し、その制御によって受け取った画像データの伸復調を行う。
【００３３】
また、この外部インタフェース回路１は、プリント制御部４による画像データの出力処理に合わせるためメモリバッファを開始するが、そのために画像データの処理速度を制御するためのメモリ１４も内蔵している。このメモリ１４は、プリント制御部４において画像データが出力不可能であるとき待ち状態となるデータをプールすることにも用いられる。
【００３４】
画像読み取り制御部２は、図７のカラースキャナ部２００に対応しており、スキャナ制御部２１と画像処理部２２とによって構成され、スキャナ制御部２１のコントロールによりプリント制御部４を制御し、画像読み取り制御部２とプリント制御部４とを単独動作させる。画像処理部２２は、このデジタル画像信号をＲ／Ｇ／Ｂの輝度レベルから濃度であるＣ／Ｍ／Ｙ／Ｋの４色のトナー量に対応するレベルの画像信号に変換する。
【００３５】
操作制御部３は、キー入力部３１と表示部３２とによって構成され、キー入力部３１は、利用者からのキー入力による指示、例えば、ワンタッチキー、テンキー、スタートボタン、およびストップボタン等による入力を受け付ける装置である。表示部３２は、ＬＣＤ表示器によるメッセージ表示や、ＬＥＤの点灯、および消灯により利用者に種々の情報、例えばメモリフル、紙無しインク切れ、および通信状況等を通知することができる。
【００３６】
プリント制御部４は、図７のカラープリンタ３００に対応しており、シーケンス制御部４１とＬＤ変調部４２と給紙制御部４３とによって構成され、シーケンス制御部４１は、画像データの出力処理の実行順序を制御する。ＬＤ変調部４２は、デジタル画像信号を描画図面に変調し、給紙制御部４３は、画像を転写する速度を考慮した転写用紙の供給を制御する。
【００３７】
図１における以上の構成を備えることにより、本発明は、操作制御部３のキー入力部３１から入力されたコマンドコードの指定により、外部インタフェース回路１が外部から受け取った画像データをビットマップ展開し、ビットマップ展開した画像データを外部インタフェース回路２に内蔵するメモリ１４にプールする。一方、システム制御部５は、前記コマンドコード情報に基づき、ビットマップ展開した画像データを、プリント制御部４へ転送し、作像出力させるか、あるいは画像蓄積部５のメモリ５１へ転送し、格納させるかを判断し、処理を実行する。
【００３８】
このコマンドコードは、操作制御部３のキー入力部３１から入力されたものであり、上記の内容のコマンドコード以外にも、操作者が任意に本発明の画像処理装置の動作内容を設定することができる。
【００３９】
例えば、このコマンドデータの内容が、プリント制御部４で出力する画像データが画像蓄積部５に格納される画像データであるか、あるいはプリント制御部４自身が読み込んだ画像データであるかによって、システム制御部７は、画像データの出力先を確定し、プリント制御部４で出力させる。
【００４０】
ここで、システム制御部７によるコマンドデータに基づくプリント制御部４における画像データ出力処理の動作例を、図２に示されるフローチャートに基づいて説明する。
【００４１】
図２において、本発明の画像処理装置は冊子編集モードに設定されているか否かを判断する（ステップＳ１）、この判断において、冊子編集モードに設定されていないと判断すると（ステップＳ１／ＮＯ）、後述するステップＳ３へ処理を移行する。冊子編集モードに設定されていると判断すると（ステップＳ１／ＹＥＳ）、画像読み取り制御部２において原稿台にセットされた原稿の画像データを読み取るか否かを判断する（ステップＳ２）。この判断によって原稿を読み取る場合（ステップＳ２／ＹＥＳ）、セットされた原稿の画像データを読み取り、読み取った画像データをプリント制御部４へ転送し（ステップＳ３）、そして印字出力する。ステップＳ２における判断において原稿を読み取る処理を行わない場合（ステップＳ２／ＮＯ）、画像蓄積部５に蓄積される画像データを読み出し、その画像データをプリント制御部４へ転送する（ステップＳ４）。そして転送された画像データの出力をプリンタ制御部４を行う（ステップＳ５）。
【００４２】
さらに、本発明は、上記制御において外部インタフェース回路１が受けた画像データと、画像読み取り制御部２が読み取った画像データとの出力物の編集処理に特徴を有する。図３に示されるように、この編集処理は、外部インタフェース回路１が受け、画像蓄積部５に蓄積された画情報頁間に、画像読み取り制御部２から読み込まれた画像データを挿入する処理である。
【００４３】
また、本発明は操作制御部３に表示部３２を有し、この表示部３２は、図４に示されるように画情報頁を表示し、操作者は、これを参照しながら任意の頁間にＰＣデータを挿入することができる。この動作例を図４および図５に基づいて説明する。
【００４４】
操作制御部３で冊子編集モードが選択された場合、表示部３２に画像データ情報を表示するが、図４は、このとき表示される画面の一例を示している。図４において、先ず表示部３２で表示される情報は、図４−１に示されるようにデータを取り込んだ時間毎にデータ情報を表示し、操作者が表示されたデータ情報のなかから例えば図中で１を選択した場合、図４−２へ画面が移行し、図４−１で選択した１の頁の一部の画像を表示し、その内容が正しいことを確認することができる。
【００４５】
その内容が正しいことを確認し、１を選択することを決定すると、１のデータ情報を例えば図４−３のように表示する。この表示された画面を参照しながら１のデータ情報に挿入する箇所を指定することができるが、ここでは１頁目と２頁目との間に挿入することにする。このとき挿入される画像データは、これから画像読み取り制御部２において読み取らせる。これまでの挿入箇所の指定が終了すると、図４−４に示されるように新たに追加した頁が表示される。
【００４６】
複数枚いくつかの頁の間に挿入する場合も順次同じ手順で処理を追加する。コマンド情報が、画像蓄積部５から読みだす画像データ頁の３頁と４頁との間に、画像読み取り制御部２が読み取った画像データを挿入して編集した冊子を４部作成する旨の情報である場合、プリント制御部４において、まず画像蓄積部５から読みだした１頁目の画像データを４部出力し、続いて２頁目、３頁目をそれぞれ４部出力し、そして画像読み取り制御部２から読み取った画像データを４部出力し、その後、同様に画像蓄積部５から４頁目以降の画像データを４部ずつ出力する。
【００４７】
一端、画像蓄積部５のメモリに蓄積した画像データと、画像読み取り制御部２が読み取った画像データとの出力物の冊子編集例を説明したが、本発明は、さらに複数の端末からの画像情報を画像蓄積部５にプールすることにより、それを出力形態に応じて加工し、出力することも可能である。この１例として上記の動作を繰り返すが、この場合、複数の情報を表示部３２に表示させたいので、図４−５に示す様に複数（ここでは２つ）の画情報頁を表示することができる。
【００４８】
本発明による編集処理の動作を図５に示されるフローチャートに基づいて説明する。図５において、操作制御部で指定されたモードが冊子編集モードであるかを判断する（ステップＳ１１）。この判断において冊子編集モード以外が指定されたと判断すると（ステップＳ１１／ＮＯ）、画像読み取り制御部２は、内蔵するスキャナ制御部２１の制御により原稿台上の原稿を読み取る。
【００４９】
一方、ステップＳ１１の判断において冊子編集モードが選択されたと判断すると（ステップＳ１１／ＹＥＳ）、操作制御部４における表示部３２の画面が冊子編集モードとなる（ステップＳ１２）。そこで画像データの出力元の選択を行うが、画像データの出力元として画像蓄積部５が選択されなければ（ステップＳ１３／ＮＯ）、画像読み取り制御部２において原稿の画像データを読み取る。画像データの出力元として画像蓄積部５が選択されなければ（ステップＳ１３／ＹＥＳ）、画像蓄積部５から画像データを読み出してプリント制御部４へ転送する（ステップＳ１４）。プリント制御部４は転送された画像データの出力処理を実行する（ステップＳ１５）。
【００５０】
そしてプリント制御部４による画像データの出力処理が終了したか否かを判断し（ステップＳ１６）、この出力処理が終了したと判断すると（ステップＳ１６／ＹＥＳ）、本発明の冊子編集処理を終了し、出力処理がまだ終了していなければ（ステップＳ１６／ＮＯ）、その後の処理の内容がこの冊子モードであるか否かを判断する（ステップＳ１７）。この判断において処理の内容が冊子モードであれば（ステップＳ１７／ＹＥＳ）、ステップＳ１２以降の処理へ移し、処理の内容が冊子モードでなければ（ステップＳ１７／ＮＯ）、画像読み取り制御部２において原稿の画像データを読み取る。
【００５１】
また、本発明は、画像蓄積部５において蓄積される画像データは、システム制御部７の制御によって指定された画像データが読みだされる。このため画像蓄積部５は蓄積する画像データを管理するが、タイマ６によって画像データに付加した時間情報、およびコントローラ情報コードに対応した情報、例えば画像データを送信する際に送信側で画像データに付加する端末の識別情報コード、あるいは受信側で作成した画像データを送信した端末を識別する識別子情報により画像蓄積部５で蓄積する画像データを管理制御する。画像データを送信する際に送信側で画像データに付加する端末の識別情報コードとしては、例えば、図６に示されるプロトコル手順中の情報のようにＴＳＩ／ＲＴＩ情報がある。
【００５２】
よって、操作者は、画像データ毎にタイマ６により付加された時間情報を参照し、編集処理を行う画像データに該当する時間を操作制御部３から入力することにより、それに対応する画像を表示部３２に表示させ、図４を用いて説明した操作と同様の処理によって編集処理を実行することができる。
【００５３】
外部から受けた画像データは、プリント制御部４で出力するか、あるいは画像蓄積部５において蓄積するかをシステム制御部７が判断するため、例えば、図６に示されるように、送信側の処理の要求内容を送信側にＮＳＦ、受信側にＮＳＳにその旨を設定する。
【００５４】
【発明の効果】
以上の説明より明らかなように、本発明は、入力先が異なる画像データの冊子編集をまとめて行うことにより、余計な処理動作を省くことができ、また、外部の端末から受信した画像データを一旦蓄積し、蓄積した画像データとスキャナ部で読み込んだ画像データとの頁をソートすることが可能であるため、編集処理を自動的に行うことができ、複合機の生産性の向上および多機能化を図ることができる。
【図面の簡単な説明】
【図１】本発明の実施形態における画像処理装置の構成例を示す第１のブロック図である。
【図２】本発明の実施形態における画像処理装置の第１の動作例を示すフローチャートである。
【図３】本発明の実施形態における編集処理例を説明するための図である。
【図４】本発明の実施形態における画像処理装置の表示部における一表示例を示す図である。
【図５】本発明の実施形態における画像処理装置の第２の動作例を示すフローチャートである。
【図６】本発明の実施形態における画像処理装置と外部の端末とのプロトコル手順の一例を示す図である。
【図７】本発明の実施形態における画像処理装置の構成例を示す第２のブロック図である。
【符号の説明】
１  外部インタフェース回路
２  画像読み取り制御部
３  操作制御部
４  プリント制御部
５  画像蓄積部
６  タイマ
７  システム制御部
１１  バススイッチ制御部
１２  回線制御部
１３  ネットワーク制御部
１４  メモリ
２１  スキャナ制御部
２２  画像処理部
３１  キー入力部
３２  表示部
４１  シーケンス制御部
４２  ＬＤ変調部
４３  給紙制御部
１００  インタフェースコントローラ
２００  カラースキャナ部
３００  カラープリンタ部
２０１  スキャナコントローラ
２０２  画像処理部
２０３  露光系コントローラ
３０１  プリンタ部コントローラ
３０２  作像部
３０３  転写処理部
３１０  レーザドライブ部
３１１  ポリゴンスキャナドライブ部
３１２  表面電位制御部
３１３  帯電部
３１４  現像部
３１５  感光ドラム
３１６  ドラムクリーニング部
３１７  用紙カセット
３１８  給紙制御部
３１９  転写ドラム
３２０  転写部
３２１  分離部
３２２  搬送部
３２３  定着部
３２４  トレイ
【図１】
0003682381.tif 000002
【図２】
0003682381.tif 000003
【図３】
0003682381.tif 000004
【図４】
0003682381.tif 000005
【図５】
0003682381.tif 000006
【図６】
0003682381.tif 000007
【図７】
0003682381.tif 000008